(57)【特許請求の範囲】
【請求項１】
基板と、
操作部材と、
前記基板に設けられた配線に接続され、前記操作部材によって押圧されることによりオンされる複数のスイッチ部と、を備えた入力装置であって、
前記基板上には、互いに交差する複数の操作線が設定され、前記操作線のうち第１操作線上には、前記操作線の交点を挟んで一方に前記スイッチ部が配置され、他方に前記スイッチ部が設けられていないダミー部が配置されるとともに、前記第１操作線に交差する他の前記操作線上には、前記交点を挟んで一対の前記スイッチ部が配置されて、
前記ダミー部の上方に配置され、前記基板に向けて移動が規制され且つ前記第１操作線と交差する向きに倒れることができるように支持された可動部材と、前記スイッチ部の上方に配置され前記操作部材への押圧力に対応して前記スイッチ部を押圧する押圧部材と、を有し、
前記可動部材には、前記第１操作線上に位置する支点部と、前記第１操作線を挟んだ両側に位置して前記操作部材からの押圧力を受ける一対の受け部とが形成されており、
前記ダミー部の上で前記操作部材が押されたときに、その押圧力が前記可動部材の前記受け部で受け止められ、前記ダミー部と隣り合う前記スイッチ部の上で前記操作部材が押されたときは、前記可動部材が傾くことを特徴とする入力装置。
【請求項２】
前記ダミー部は、前記操作部材が押されたときに弾発力を生じ、前記弾発力が前記スイッチ部を動作させる押圧荷重より大きくなるように構成されていることを特徴とする請求項１に記載の入力装置。
【請求項３】
前記ダミー部には、弾性変形可能に設けられた弾性部材が配置され、
前記ダミー部は、前記弾性部材が前記基板に当接していることによって、前記弾発力を生じることを特徴とする請求項２に記載の入力装置。
【請求項４】
前記可動部材は、前記支点部と一対の前記受け部とを接続している撓み部を備え、前記撓み部に対して前記支点部が前記基板側に突出する形状を有していることを特徴とする請求項１乃至請求項３のいずれかに記載の入力装置。
【請求項５】
前記撓み部が薄い平板状であって、
前記ダミー部と隣り合う前記スイッチ部との間で前記操作部材が押されたときは、前記可動部材が前記撓み部の弾性変形を伴いながら傾くことを特徴とする請求項４に記載の入力装置。
【請求項６】
２つの前記操作線が直交して配置され、前記操作線のうち前記第１操作線上には、前記交点を挟んで一方に前記スイッチ部が配置され、他方に前記ダミー部が配置されるとともに、前記第１操作線に直交する他の前記操作線上には、前記交点を挟んで一対の前記スイッチ部が配置され、
前記ダミー部およびそれぞれの前記スイッチ部は前記交点から等距離に配置されていることを特徴とする請求項１乃至請求項５のいずれかに記載の入力装置。
【発明の詳細な説明】
【技術分野】
【０００１】
本発明は、１つの操作部材で押圧操作される複数のスイッチ部が設けられた入力装置に関する。
【背景技術】
【０００２】
複数の操作を限られたスペースで行えるように、１つの操作部材で複数のスイッチ部が動作させられる多方向入力装置が必要とされている。例えば、特許文献１に、揺動操作によりスイッチ部が動作させられる多方向入力装置に関する発明が記載されている。
【０００３】
図９は、特許文献１に記載された多方向入力装置１００の動作説明図であり、図９（ａ）は多方向入力装置１００の断面から見た動作説明図であり、図９（ｂ）は別の角度の断面から見た動作説明図である。この多方向入力装置１００は、キートップ（操作部材）１０９の下に、中央スイッチＳ１０３と、その周囲に配置された４個の周辺スイッチＳ１０４が設けられている。また、図９（ｂ）に示すように、隣り合う周辺スイッチＳ１０４の中間位置では、キートップ１０９から下方へ脚部１０９ｃが一体に形成されている。キートップ１０９は、弾性シート１０７上に保持され、隆起部１０９ｅは、中央スイッチＳ１０３のステム１０６の頂面に当接している。また、弾性シート１０７が載置されると、周辺可動接点１０８と周辺固定接点１０２とが対向して、周辺スイッチＳ１０４を構成し、第１の周辺凸部１０７ｃの外周に位置するスカート状部分（円錐状部分）が座屈することで、周辺可動接点１０８と周辺固定接点１０２とが接触して電気信号を出力するようになっている。
【０００４】
この多方向入力装置１００は、キートップ１０９の中央部が押されると、中央スイッチＳ１０３が押圧されて動作し、キートップ１０９の周囲部が押されると、キートップ１０９によって、いずれかの周辺スイッチＳ１０４が押圧されて動作する。周囲部が押されて周辺スイッチＳ１０４が動作するときに、脚部１０９ｃが絶縁基板１０１に当たってキートップ１０９が必要以上に大きく傾くのが規制され、これによって、誤って中央スイッチＳ１０３が動作するのを防止する、というものである。
【先行技術文献】
【特許文献】
【０００５】
【特許文献１】特開２００３−４５２９０号公報
【発明の概要】
【発明が解決しようとする課題】
【０００６】
しかしながら、周囲に配置された４個の周辺スイッチのうち、１箇所をスイッチ部として使用しない入力装置が望ましい場合がある。上記の多方向入力装置は、スイッチ部として使用しない方向に押されたときの操作感触が他の方向に押されたときと同じでスイッチ動作しないものになってしまうため、そこを押したのか他のスイッチ部を押して動作していないのかが分かりにくいという問題があった。
【０００７】
本発明は、上述した課題を解決するもので、スイッチ部の上から操作部材が押されたときの操作感触と、スイッチ部として使用しない方向に操作部材が押されたときの操作感触とを異ならせることで、操作感触によって適切な入力操作を認識しやすくした入力装置を提供することを目的とする。
【課題を解決するための手段】
【０００８】
本発明の入力装置は、基板と、操作部材と、前記基板に設けられた配線に接続され、前記操作部材によって押圧されることによりオンされる複数のスイッチ部と、を備えた入力装置であって、前記基板上には、互いに交差する複数の操作線が設定され、前記操作線のうち第１操作線上には、前記操作線の交点を挟んで一方に前記スイッチ部が配置され、他方に前記スイッチ部が設けられていないダミー部が配置されるとともに、前記第１操作線に交差する他の前記操作線上には、前記交点を挟んで一対の前記スイッチ部が配置されて、前記ダミー部の上方に配置され、前記基板に向けて移動が規制され且つ前記第１操作線と交差する向きに倒れることができるように支持された可動部材と、前記スイッチ部の上方に配置され前記操作部材への押圧力に対応して前記スイッチ部を押圧する押圧部材と、を有し、前記可動部材には、前記第１操作線上に位置する支点部と、前記第１操作線を挟んだ両側に位置して前記操作部材からの押圧力を受ける一対の受け部とが形成されており、前記ダミー部の上で前記操作部材が押されたときに、その押圧力が前記可動部材の前記受け部で受け止められ、前記ダミー部と隣り合う前記スイッチ部の上で前記操作部材が押されたときは、前記可動部材が傾くことを特徴とする。
【０００９】
この構成によれば、ダミー部の上から操作部材が押されたときは、その押圧力が一対の受け部で受け止められて、可動部材がほぼ平行姿勢を保ったまま操作部材の操作を規制しているので、操作感触によってダミー部であることが分かりやすい。一方、ダミー部と隣り合うスイッチ部で操作部材が押されたときは、可動部材が斜めの姿勢となるため、操作抵抗力が小さくなる。このため、スイッチ部を動作させやすく、スイッチ部を動作させるための操作感触も良好になる。したがって、スイッチ部の上から操作部材が押されたときの操作感触と、スイッチ部として使用しない方向に操作部材が押されたときの操作感触とを異ならせることで、操作感触によって適切な入力操作を認識しやすくした入力装置を提供することができる。
【００１０】
また、本発明の入力装置において、前記ダミー部は、前記操作部材が押されたときに弾発力を生じ、前記弾発力が前記スイッチ部を動作させる押圧荷重より大きくなるように構成されていることを特徴とする。
【００１１】
この構成によれば、ダミー部では操作部材が押されたときの弾発力によって操作部材の操作を規制しているので、押し込みとともに弾発力による荷重が大きくなって、スイッチ部とは異なるダミー部の操作感触を得ることができる。
【００１２】
また、本発明の入力装置において、前記ダミー部には、弾性変形可能に設けられた弾性部材が配置され、前記ダミー部は、前記弾性部材が前記基板に当接していることによって、前記弾発力を生じることを特徴とする。
【００１３】
この構成によれば、ダミー部の弾発力は、基板に当接している弾性部材が押圧されることによって生じるので、大きくなるように設定することが容易である。
【００１４】
また、本発明の入力装置において、前記可動部材は、前記支点部と一対の前記受け部とを接続している撓み部を備え、前記撓み部に対して前記支点部が前記基板側に突出する形状を有していることを特徴とする。
【００１５】
この構成によれば、ダミー部にはスイッチ部が設けられていないが、支点部の突出する長さを長くすることで、ダミー部の弾発力やスイッチ部との寸法差を調整することができる。
【００１６】
また、本発明の入力装置において、前記撓み部が薄い平板状であって、前記ダミー部と隣り合う前記スイッチ部との間で前記操作部材が押されたときは、前記可動部材が前記撓み部の弾性変形を伴いながら傾くことを特徴とする。
【００１７】
この構成によれば、弾性変形しやすい平板状の撓み部にすることによって、可動部材が傾くときの荷重を調整できる。これにより、ダミー部とスイッチ部との間で可動部材が傾くときの操作感触を所望の状態に調整することができる。
【００１８】
また、本発明の入力装置において、２つの前記操作線が直交して配置され、前記操作線のうち前記第１操作線上には、前記交点を挟んで一方に前記スイッチ部が配置され、他方に前記ダミー部が配置されるとともに、前記第１操作線に直交する他の前記操作線上には、前記交点を挟んで一対の前記スイッチ部が配置され、前記ダミー部およびそれぞれの前記スイッチ部は前記交点から等距離に配置されていることを特徴とする。
【００１９】
この構成によれば、ダミー部と３方向のスイッチ部は交点から等距離に直交配置されているので、直感的に操作しやすい。
【発明の効果】
【００２０】
本発明によれば、ダミー部に設けられた可動部材に、第１操作線上に位置する支点部と、第１操作線を挟んだ両側に位置して操作部材からの押圧力を受ける一対の受け部とが形成されている。これにより、ダミー部の上で操作部材が押されたときに、その押圧力が可動部材の受け部で受け止められ、ダミー部と隣り合うスイッチ部の上で操作部材が押されたときは、可動部材が傾く。したがって、スイッチ部の上から操作部材が押されたときの操作感触と、スイッチ部として使用しない方向に操作部材が押されたときの操作感触とを異ならせることで、操作感触によって適切な入力操作を認識しやすくした入力装置を提供することができる。
【図面の簡単な説明】
【００２１】
【図１】本発明の実施形態の入力装置を示す平面図である。
【図２】本発明の実施形態の入力装置を示す斜視図である。
【図３】本発明の実施形態の入力装置を示す分解斜視図である。
【図４】可動部材を示す外形図であり、図４（ａ）は平面図であり、図４（ｂ）は右側面図であり、図４（ｃ）は底面図である。
【図５】図１のＶ−Ｖ線で切断した断面図である。
【図６】図５と同じ断面において、ダミー部の上で操作部材が押されて可動部材が押圧力を受け止めたときの動作を示す断面図である。
【図７】図５と同じ断面において、操作部材が押されて可動部材が傾いたときの動作を示す断面図である。
【図８】図５と同じ断面において、図７の状態から、さらに操作部材が押されて可動部材が傾いたときの動作を示す断面図である。
【図９】従来の多方向入力装置の動作説明図であり、図９（ａ）は多方向入力装置の断面から見た動作説明図であり、図９（ｂ）は別の角度の断面から見た動作説明図である。
【発明を実施するための形態】
【００２２】
［第１実施形態］
以下、本発明の実施の形態について図面を用いて詳細に説明する。なお、分かりやすいように、図面は寸法を適宜変更している。
【００２３】
図１は、本発明の実施形態の入力装置１を示す平面図である。図２は、入力装置１を示す斜視図である。図３は、入力装置１を示す分解斜視図である。図４は、可動部材２０を示す外形図であり、図４（ａ）は平面図であり、図４（ｂ）は右側面図である。図５は、図１のＶ−Ｖ線で切断した断面図である。図６は、図５と同じ断面において、ダミー部４０の上で操作部材１０が押されて可動部材２０が押圧力を受け止めたときの動作を示す断面図である。図７は、図５と同じ断面において、操作部材１０が押されて可動部材２０が傾いたときの動作を示す断面図である。図８は、図５と同じ断面において、図７の状態から、さらに操作部材１０が押されて可動部材２０が傾いたときの動作を示す断面図である。
【００２４】
本実施形態の入力装置１は、図１〜図５に示すように、操作部材１０が上ケース部材６０に装着され、１つの操作部材１０で押圧操作される複数のスイッチ部３０が設けられたものである。なお、本明細書では、入力装置１が接続される機器側の構成や電気接続部を省略しており、図１〜図５においても図示しない。以下、説明を簡単にするため、図１のＺ１方向を上方、Ｚ２方向を下方と呼ぶことにする。
【００２５】
図２および図５に示すように、操作部材１０は円盤形状の操作本体部１１を有しており、操作本体部１１の周縁に鍔部１１ａが形成されている。鍔部１１ａが上ケース部材６０に係止可能な寸法を有して、操作部材１０の抜け止めになっている。
【００２６】
操作部材１０の下方には、押圧部材２５および弾性部材４５を介して、複数のスイッチ部３０が配置されている。複数のスイッチ部３０は、基板５０上に設けられており、図３に示すように、互いに直交する第１操作線Ｌ１と第２操作線Ｌ２とが交わる交点の位置する中心線Ｏから等距離の３方向に位置している。ここで、第１操作線Ｌ１と第２操作線Ｌ２は仮想線である。第１操作線Ｌ１と第２操作線Ｌ２との交点を通って上下に延びる線が中心線Ｏである。
【００２７】
第１操作線Ｌ１には、第１操作線Ｌ１と第２操作線Ｌ２との交点を挟んで、一方にスイッチ部３０ａが配置され、他方にはスイッチ部の設けられていないダミー部４０が配置されている。第２操作線Ｌ２には、第１操作線Ｌ１と第２操作線Ｌ２との交点を挟んで、一対のスイッチ部３０ｂ、３０ｃが配置されている。スイッチ部３０ａ、３０ｂ、３０ｃは、それぞれ、基板５０に設けられた配線（図示しない）に接続されている。基板５０は、下ケース部材８０に載置され、固定されている。
【００２８】
複数のスイッチ部３０が配置されている基板５０を覆うように、弾性部材４５が配置される。弾性部材４５は、シリコンゴム等の弾性を有し、かつ、水の浸透が少ない材質で、薄肉の立体形状に成形されてなり、シート状に形成されている。弾性部材４５は、スイッチ部３０ａ、３０ｂ、３０ｃの直上に、それぞれ、ドーム部４５ａ、４５ｂ、４５ｃを備えている。また、弾性部材４５は、スイッチ部の設けられていないダミー部４０の直上にもドーム部４５ｄを備えている。なお、本実施形態では、ドーム部４５ａ、４５ｂ、４５ｃ、４５ｄの形状が同一であり、中心線Ｏから等距離に形成されている。
【００２９】
弾性部材４５の上方の位置には、ドーム部４５ａ、４５ｂ、４５ｃを押圧する押圧部材２５ａ、２５ｂ、２５ｃが、それぞれ配置されている。また、ダミー部４０の直上に設けられたドーム部４５ｄを押圧する可動部材２０が配置されている。押圧部材２５ａ、２５ｂ、２５ｃおよび可動部材２０は、支持部材７０の開口部７０ａに挿入され、その上方に操作部材１０が配置される。
【００３０】
支持部材７０および可動部材２０は、それぞれ、合成樹脂から形成されている。
【００３１】
可動部材２０は、図３〜図５に示すように、支点部２１と、支点部２１を挟んだ両側に位置して操作部材１０からの押圧力を受ける一対の受け部２４と、支点部２１と一対の受け部２４とを接続している撓み部２２が形成されている。支点部２１は、撓み部２２に対して基板５０側に突出する形状を有している。撓み部２２は、上下方向（Ｚ１−Ｚ２方向）の厚みが相対的に薄く形成されており、支点部２１を支点として受け部２４が上下方向に弾性変形可能になっている。
【００３２】
支持部材７０は、図５に示すように、可動部材２０の受け部２４が収容可能な開口部７０ａを有し、受け部２４の端部２４ａを係止可能な支持部７０ｂを備えている。受け部２４の端部２４ａを支持部７０ｂにより係止可能になっているので、支持部材７０に可動部材２０を載置した状態で組み立てることが可能である。
【００３３】
図３に示すように、可動部材２０の支点部２１と弾性部材４５のドーム部４５ｄの真下への仮想線４０ａと第１操作線Ｌ１との交差位置がダミー部４０の仮想位置である。
【００３４】
次に、本実施形態の入力装置１におけるダミー部４０の機能について、図５〜図８を参照して説明する。
【００３５】
図５に示す初期状態では、可動部材２０の支点部２１が弾性部材４５のドーム部４５ｄを下方に押圧している。弾性部材４５が基板５０に当接していることによって、弾性変形可能に設けられたドーム部４５ｄには支点部２１を上方に持ち上げようとする弾発力を生じている。操作部材１０は、可動部材２０および押圧部材２５ａ、２５ｂ、２５ｃが弾性部材４５に当接しているので、上方に付勢されて、上ケース部材６０に係止されてガタを生じない状態になっている。
【００３６】
ダミー部４０の上（図１に示す４０ａの位置）から操作部材１０が押されたときは、図６に示すように、その押圧力が一対の受け部２４で受け止められて、可動部材２０がほぼ平行姿勢を保ったまま下方に移動しようとする。このとき、支点部２１が弾性部材４５のドーム部４５ｄをさらに変形させようとするが、基板５０によって規制されているため、強い弾発力を受けることになる。このため、支点部２１はほとんど動くことができず、撓み部２２の弾性変形を伴いながら操作部材１０に対する操作抵抗力を強く生じることとなる。なお、さらに強く操作部材１０が押し下げられた場合には、受け部２４の端部２４ａが支持部７０ｂに係止されて、下方への移動が規制される。
【００３７】
これらの一連の弾発力は、ドーム部４５ｄの弾性部材４５の厚み等や可動部材２０の支点部２１の突出する長さ、撓み部２２の厚み等の寸法によって設定される。ダミー部４０では操作部材１０が押されたときの弾発力によって操作部材１０の操作を規制しているので、操作部材１０の押し込みとともに弾発力による荷重が大きくなって、スイッチ部３０ａ、３０ｂ、３０ｃとは異なるダミー部４０の操作感触を得ることができる。
【００３８】
一方、支点部２１の真上からＹ１に偏った位置で操作部材１０が押された場合には、図７に示すように可動部材２０が傾く。例えば、ダミー部４０と隣り合うスイッチ部３０ｂをオンさせようとして、スイッチ部３０ｂの直上で操作部材１０を押圧したときや、ダミー部４０とスイッチ部３０ｂとの間の上で操作部材１０が押されたときに相当する。このとき、操作部材１０に対しては、スイッチ部３０ｂの操作荷重と弾性部材４５のドーム部４５ｂでの弾性変形とによって操作感触が発生する。スイッチ部３０ｂがクリック感触を有している場合には、スイッチ部３０がオンするときに操作感触を得ることができる。一方、可動部材２０のＹ２側は押圧されていないので上方に保持され、支点部２１を支点として傾く。可動部材２０が斜めの姿勢となるため、ダミー部４０で発生する操作抵抗力が図６の場合に比べて小さくなる。このため、スイッチ部３０ｂを動作させやすく、スイッチ部３０ｂを動作させるための操作感触も良好になる。
【００３９】
また、スイッチ部３０ｃをオンさせようとして、ダミー部４０と隣り合うスイッチ部３０ｃの直上で操作部材１０を押圧したときや、ダミー部４０とスイッチ部３０ｃとの間の上で操作部材１０が押されたときにも、同様である。
【００４０】
図８に示すように、Ｙ１に偏った位置で操作部材１０がさらに強く推された場合であっても、ダミー部４０では可動部材２０が撓み部２２の弾性変形を伴いながら傾くことで、Ｙ１側で受け部２４の端部２４ａが支持部７０ｂに係止されるまで下方に押し込むことが可能である。なお、この場合には、操作感触が異なるので、適切な操作でないことを感触によって認識することができる。
【００４１】
本実施形態の入力装置１では、ドーム部４５ａ、４５ｂ、４５ｃ、４５ｄの形状が同一であり、スイッチ部のないダミー部４０では支点部２１の長さを長くして、あたかもスイッチ部を配置しているかのような初期状態に保持されている。支点部２１の突出する長さを長くすることで、ダミー部４０の弾発力やスイッチ部３０との寸法差を調整することができる。また、操作部材１０が押圧操作された場合には、ダミー部４０の上から操作部材１０が押されたときに、その押圧力が一対の受け部２４で受け止められて、可動部材２０がほぼ平行姿勢を保ったまま操作部材１０の操作が規制される。また、ダミー部４０と隣り合うスイッチ部３０ｂ、３０ｃの上やダミー部４０とスイッチ部３０ｂ、３０ｃのいずれかとの間の上が押されたときには、可動部材２０が斜めの姿勢となるため、操作抵抗力が小さくなる。このため、スイッチ部３０を動作させやすく、スイッチ部３０を動作させるための操作感触も良好になる。
【００４２】
さらに、可動部材２０が撓み部２２を備え、撓み部２２の弾性変形を伴いながら弾発力を発生させるので、操作荷重を所望の大きさになるように設定しやすい。したがって、スイッチ部３０の上から操作部材１０が押されたときの操作感触と、スイッチ部３０として使用しない方向に操作部材１０が押されたときの操作感触とを異ならせることで、操作感触によって適切な入力操作を認識しやすくすることができる。
【００４３】
以下、本実施形態としたことによる効果について説明する。
【００４４】
本実施形態の入力装置１は、基板５０上に設けられた複数のスイッチ部３０と、スイッチ部３０を押圧する操作部材１０とが設けられている。そして、互いに交差する第１操作線Ｌ１と第２操作線Ｌ２が設定され、第１操作線Ｌ１上には、第１操作線Ｌ１と第２操作線Ｌ２の交点を挟んで一方にスイッチ部３０ａが配置され、他方にスイッチ部が設けられていないダミー部４０が配置される。また、第１操作線Ｌ１に交差する第２操作線Ｌ２上には、交点を挟んで一対のスイッチ部３０ｂ、３０ｃが配置される。さらに、ダミー部４０に、基板５０に向けて移動が規制され且つ第１操作線Ｌ１と交差する向きに倒れることができるように支持された可動部材２０が設けられている。そして、可動部材２０に、第１操作線Ｌ１上に位置する支点部２１と、第１操作線Ｌ１を挟んだ両側に位置して操作部材１０からの押圧力を受ける一対の受け部２４とが形成されている。これにより、ダミー部４０の上で操作部材１０が押されたときに、その押圧力が可動部材２０の受け部２４で受け止められ、ダミー部４０と隣り合うスイッチ部３０の上で操作部材１０が押されたときは、可動部材２０が傾くことになる。
【００４５】
この構成によれば、ダミー部４０の上から操作部材１０が押されたときは、その押圧力が一対の受け部２４で受け止められて、可動部材２０がほぼ平行姿勢を保ったまま操作部材１０の操作を規制しているので、操作感触によってダミー部４０であることが分かりやすい。一方、ダミー部４０と隣り合うスイッチ部３０で操作部材１０が押されたときは、可動部材２０が斜めの姿勢となるため、操作抵抗力が小さくなるため、スイッチ部３０を動作させやすく、スイッチ部３０を動作させるための操作感触も良好になる。したがって、スイッチ部３０の上から操作部材１０が押されたときの操作感触と、スイッチ部３０として使用しない方向に操作部材１０が押されたときの操作感触とを異ならせることで、操作感触によって適切な入力操作を認識しやすくした入力装置１を提供することができる。
【００４６】
また、本実施形態の入力装置１において、ダミー部４０は、操作部材１０が押されたときに弾発力を生じ、弾発力がスイッチ部３０を動作させる押圧荷重より大きくなるように構成されている。
【００４７】
この構成によれば、ダミー部４０では操作部材１０が押されたときの弾発力によって操作部材１０の操作を規制しているので、操作部材１０の押し込みとともに弾発力による荷重が大きくなって、スイッチ部３０ａ、３０ｂ、３０ｃとは異なるダミー部４０の操作感触を得ることができる。
【００４８】
また、本実施形態の入力装置１において、ダミー部４０には、弾性変形可能に設けられた弾性部材４５が配置され、ダミー部４０は、弾性部材４５が基板５０に当接していることによって、弾発力を生じる。
【００４９】
この構成によれば、ダミー部４０の弾発力は、基板５０に当接している弾性部材４５が押圧されることによって生じるので、弾発力が大きくなるように設定することが容易である。
【００５０】
また、本実施形態の入力装置１において、可動部材２０は、支点部２１と一対の受け部２４とを接続している撓み部２２を備え、撓み部２２に対して支点部２１が基板５０側に突出する形状を有している。
【００５１】
この構成によれば、ダミー部４０にはスイッチ部３０が設けられていないが、支点部２１の突出する長さを長くすることで、ダミー部４０の弾発力やスイッチ部３０との寸法差を調整することができる。
【００５２】
また、本実施形態の入力装置１において、撓み部２２が薄い平板状であって、ダミー部４０と隣り合うスイッチ部３０との間で操作部材１０が押されたときは、可動部材２０が撓み部２２の弾性変形を伴いながら傾く。
【００５３】
この構成によれば、弾性変形しやすい平板状の撓み部２２にすることによって、可動部材２０が傾くときの荷重を調整できる。これにより、ダミー部４０とスイッチ部３０との間で可動部材２０が傾くときの操作感触を所望の状態に調整することができる。
【００５４】
また、本実施形態の入力装置１において、第１操作線Ｌ１と第２操作線Ｌ２が直交して配置され、第１操作線Ｌ１上には、交点を挟んで一方にスイッチ部３０が配置され、他方にダミー部４０が配置される。そして、第１操作線Ｌ１に直交する第２操作線Ｌ２上には、交点を挟んで一対のスイッチ部３０が配置され、ダミー部４０およびそれぞれのスイッチ部３０は交点から等距離に配置されている。
【００５５】
この構成によれば、ダミー部４０と３方向のスイッチ部３０は交点から等距離に直交配置されているので、直感的に操作しやすい。
【００５６】
以上のように、本発明の実施形態の入力装置１を具体的に説明したが、本発明は上記の実施形態に限定されるものではなく、要旨を逸脱しない範囲で種々変更して実施することが可能である。例えば次のように変形して実施することができ、これらも本発明の技術的範囲に属する。
【００５７】
（１）本実施形態において、第１操作線Ｌ１と第２操作線Ｌ２が直交して配置される構成としたが、直交していなくてもよい。例えば、第３操作線を有し、それらが６０度に角度で交差するように変更してもよい。また、さらに第４操作線を有し、７方向にスイッチ部が配置されるように構成してもよい。
【００５８】
（２）本実施形態において、支点部２１は僅かに移動可能な長さに設定されているが、初期状態で弾性部材４５を介して基板５０に当接しているようにしてもよい。この場合、撓み部２２が僅かに弾性変形するように設定されることが好ましい。こうすれば、ダミー部４０の直上を押圧操作したときの操作感触が重く、スイッチ部３０を操作しているときの感触と最初から異ならせることができる。
【符号の説明】
【００５９】
１      入力装置
１０    操作部材
１１    操作本体部
１１ａ  鍔部
２０    可動部材
２１    支点部
２２    撓み部
２４    受け部
２４ａ  端部
２５    押圧部材
２５ａ  押圧部材
２５ｂ  押圧部材
２５ｃ  押圧部材
３０    スイッチ部
３０ａ  スイッチ部
３０ｂ  スイッチ部
３０ｃ  スイッチ部
４０    ダミー部
４５    弾性部材
４５ａ  ドーム部
４５ｂ  ドーム部
４５ｃ  ドーム部
４５ｄ  ドーム部
５０    基板
６０    上ケース部材
７０    支持部材
７０ａ  開口部
７０ｂ  支持部
８０    下ケース部材
Ｌ１    第１操作線
Ｌ２    第２操作線
Ｏ      中心線
【図１】
0006460331.tif 000002
【図２】
0006460331.tif 000003
【図３】
0006460331.tif 000004
【図４】
0006460331.tif 000005
【図５】
0006460331.tif 000006
【図６】
0006460331.tif 000007
【図７】
0006460331.tif 000008
【図８】
0006460331.tif 000009
【図９】
0006460331.tif 000010